(57)【要約】【課題】マニホールドベース上の限られたスペースに多くの電磁弁を配設できると共に、これらの電磁弁に給電する基板をマニホールドベースに簡単な構造でバランス良く容易に取付け得る基板搭載型マニホールドバルブを提供する。【解決手段】基板搭載型マニホールドバルブ１において、多数の対向配設された電磁弁２を搭載する搭載台部５がマニホールドベース３の段部３ａから突出するように形成され、該多数の電磁弁２に給電する電気回路を有する基板４が、その長手方向に沿ってその中央部がくりぬかれ、該くりぬかれた開口部４ａから上記搭載台部５の上面５ａが突出するように上記搭載台部５に嵌めこまれて上記マニホールドベース３に取付けられる。【選択図】        図１
2004156719.tif 000002
【特許請求の範囲】
【請求項１】
多数の電磁弁と、該多数の電磁弁を搭載したマニホールドベースと、該多数の電磁弁への給電のための電気回路を有する基板とを備えた基板搭載型マニホールドバルブにおいて、
上記マニホールドベースが、その上面から突出するように形成された上記多数の電磁弁を搭載する搭載台部と、該搭載台部の上面に形成されたポートを通して上記多数の電磁弁のポートと連通する流体通路とを有し、
上記基板が、その長手方向に沿って中央部がくりぬかれ、該くりぬかれた開口部から上記搭載台部の上面が突出するように上記搭載台部に嵌めこまれて上記マニホールドベース上に取付けられ、
上記電磁弁の弁部が、それらのポートを上記搭載台部の上面のポートに連通させて該搭載台部に取付けられ、しかも、該電磁弁が上記搭載台部の長手方向に沿って多数配設され、
上記電磁弁は、一端にソレノイド部を有する電磁弁の弁部が搭載台部上に対向配置され、あるいは両端にソレノイド部を有する電磁弁の弁部が搭載台部上に配置され、それらの電磁弁の弁部を駆動するソレノイド部が、上記搭載台部から互いに反対側の基板上に突出して、該基板の電気回路に対して電気的に接続されている、
ことを特徴とする基板搭載型マニホールドバルブ。
【請求項２】
上記基板が、マニホールドベースから延出する延長部を有すると共に、上記電磁弁との間に隙間が生じるようにして該マニホールドベース上に固定され、
上記電磁弁のソレノイド部が、マニホールドベースの搭載台部の上面から上記基板上に延出することにより該基板の延長部における電気回路を覆っている、
ことを特徴とする請求項１に記載の基板搭載型マニホールドバルブ。
【請求項３】
上記基板が、搭載台部に対する電磁弁の取り付けと同時に該電磁弁の受電端子とプラグインで接続される多数の給電端子と、電源に接続するための一括配線用のコネクタとを有し、上記電気回路が該給電端子と一括配線用のコネクタとを電気的に接続している、
ことを特徴とする請求項１または２に記載の基板搭載型マニホールドバルブ。
【請求項４】
上記マニホールドベースの長手方向に沿う一側面に、多数の電磁弁の各出力ポートに流体通路を介してそれぞれ連通する出力口が並設され、反対側の側面外に位置する基板の延長部に一括配線用のコネクタが設けられている、
ことを特徴とする請求項３に記載の基板搭載型マニホールドバルブ。
【発明の詳細な説明】
【０００１】
【発明の属する技術分野】
本発明は、多数の電磁弁をマニホールドベースに搭載できるようにした基板搭載型マニホールドバルブに関するものである。
【０００２】
【従来の技術】
従来から一般的に知られているマニホールドバルブでは、マニホールドベース上に多数の電磁弁を並設し、マニホールドベース内を通して圧力流体を給排すると共に、該マニホールドベースまたは電磁弁自体に出力配管を接続するようにしている。この場合、印刷配線板の電気回路を通して多数の電磁弁に給電されるのが通例である。
【０００３】
しかしながら、上記公知のマニホールドバルブでは、多数の電磁弁を単列で並設しているため、マニホールドベースは少なくとも電磁弁の巾に電磁弁数を乗じた長さ以上の長さを必要とし、電磁弁数が多くなるとそれが長大化するため、複数のマニホールドバルブを用いる必要が生じるなどの問題もあり、多数の電磁弁を搭載したマニホールドバルブとしての一層の小型化が望まれていた。
また、多数の電磁弁をマニホールドベースに搭載する場合に、それらの電磁弁に対する給電のための回路との接続を容易にするため、印刷配線によってその電気回路を形成した基板が用いられるが、その基板も電磁弁の数に応じて大きくなるため、それを保護した状態で収容するスペースを如何にして確保するか、という問題がある。
【０００４】
【発明が解決しようとする課題】
本発明は、このような問題を解消するためになされたもので、その技術的課題は、マニホールドベース上の限られたスペースに多くの電磁弁を配設できると共に、これらの電磁弁に給電する基板をマニホールドベースに簡単な構造でバランス良く容易に取付けることができる基板搭載型マニホールドバルブを提供することにある。
本発明の他の技術的課題は、印刷配線によって形成した電気回路を有する比較的大きい基板を、外力の作用を受けて損傷する可能性が少なく、しかも、その表面の電気回路も損傷から保護された状態で、特別に大きな収容スペースを確保することなく、電磁弁に近接配置できるようにしたした基板搭載型マニホールドバルブを提供することにある。
【０００５】
【課題を解決するための手段】
上記課題を解決するために、本発明は、多数の電磁弁と、該多数の電磁弁を搭載したマニホールドベースと、該多数の電磁弁への給電のための電気回路を有する基板とを備えた基板搭載型マニホールドバルブにおいて、上記マニホールドベースが、その上面から突出するように形成された上記多数の電磁弁を搭載する搭載台部と、該搭載台部の上面に形成されたポートを通して上記多数の電磁弁のポートと連通する流体通路とを有し、上記基板が、その長手方向に沿って中央部がくりぬかれ、該くりぬかれた開口部から上記搭載台部の上面が突出するように上記搭載台部に嵌めこまれて上記マニホールドベース上に取付けられ、上記電磁弁の弁部が、それらのポートを上記搭載台部の上面のポートに連通させて該搭載台部に取付けられ、しかも、該電磁弁が上記搭載台部の長手方向に沿って多数配設され、上記電磁弁は、一端にソレノイド部を有する電磁弁の弁部が搭載台部上に対向配置され、あるいは両端にソレノイド部を有する電磁弁の弁部が搭載台部上に配置され、それらの電磁弁の弁部を駆動するソレノイド部が、上記搭載台部から互いに反対側の基板上に突出して、該基板の電気回路に対して電気的に接続されていることを特徴とするものである。
【０００６】
上記基板搭載型マニホールドバルブの好ましい実施形態においては、上記基板が、マニホールドベースから延出する延長部を有すると共に、上記電磁弁との間に隙間が生じるようにして該マニホールドベース上に固定され、上記電磁弁のソレノイド部が、マニホールドベースの搭載台部の上面から上記基板上に延出することにより該基板の延長部における電気回路を覆うように形成される。
【０００７】
また、上記基板搭載型マニホールドバルブは、上記基板が、搭載台部に対する電磁弁の取り付けと同時に該電磁弁の受電端子とプラグインで接続される多数の給電端子と、電源に接続するための一括配線用のコネクタとを有し、上記電気回路が該給電端子と一括配線用のコネクタとを電気的に接続しているものとすることができ、その場合に、上記マニホールドベースの長手方向に沿う一側面に、多数の電磁弁の各出力ポートに流体通路を介してそれぞれ連通する出力口が並設され、反対側の側面外に位置する基板の延長部に一括配線用のコネクタが設けられているのが好ましい。
【０００８】
上記基板搭載型マニホールドバルブは、上記搭載台部の上面に対向した形で取付けられた対をなす電磁弁、あるいは、その対をなす電磁弁を一体化したような両端にソレノイド部を有するダブルソレノイドの電磁弁が、搭載台部の長手方向に沿って多数配設されるため、マニホールドベース上の限られたスペースに多くの電磁弁を配設できる。
【０００９】
また、上記基板搭載型マニホールドバルブは、上記搭載台部が上記マニホールドベースの上面から突出するように形成されており、そして、上記基板の中央部が長手方向に沿ってくりぬかれ、該くりぬかれた開口部から上記搭載台部の上面が突出するように上記搭載台部に嵌めこまれてマニホールドベースに取付けられているため、上記基板を、搭載台部を囲んでその回りのマニホールドベース上に載置した状態で、バランス良く取付けることができ、しかも該基板をマニホールドベースに対して簡単な構造で容易に取付けることができる。
【００１０】
上記搭載台部は、それを上記基板を取付ける際のガイド部材あるいは位置決め部材として用いることができ、また、上記基板が上記電磁弁との間に隙間が生じるようにして上記マニホールドベース上に固定されると、電磁弁の存在により上記基板を損傷させるような外力が作用することがなく、表面の電気回路も損傷から保護されるようになる。
更に、上記基板搭載型マニホールドバルブは、上記マニホールドベースの長手方向に沿う一側面に、電磁弁の各出力ポートにそれぞれ連通する出力口が並設され、反対側の側面外に位置する基板の延長部に一括配線用のコネクタを設けているので、配線の簡素化を図ることができると共に、マニホールドベースの流体通路の構造を簡単にすることができる。
【００１１】
【発明の実施の形態】
図１〜図３は本発明に係る基板搭載型マニホールドバルブの一実施例を示すものであり、該基板搭載型マニホールドバルブ１は、多数の電磁弁２と、該多数の電磁弁２を搭載するマニホールドベース３と、該多数の電磁弁２に給電するための電気回路を有する基板４とを備えている。
上記電磁弁２は、３ポート弁として構成された弁部２１と、該弁部２１に一体に取付けられ、該弁部２１の弁体２３を駆動するソレノイド部２２とを有している。該ソレノイド部２２は、上記弁体２３を駆動する可動鉄心２７と該可動鉄心２７を駆動するソレノイドコイル２６とを有し、該ソレノイドコイル２６への通電をオン・オフ制御することにより該可動鉄心２７の動作を制御し、該可動鉄心２７を介して上記弁体２３を弁座２４または弁座２５に当接させることにより、弁部２１の出力ポートＡをその入力ポートＰまたは排出ポートＲの一方に連通させるものである。
【００１２】
上記電磁弁２は、３ポート弁として構成したものであるが、対向する１対の電磁弁２の弁部を一体化して、その両側にソレノイド部を設けたダブルソレノイドの電磁弁を、上記１対の電磁弁２に替えて搭載することもできる。このダブルソレノイドの電磁弁を用いる場合、その弁部のポートは、１対の３ポート弁の電磁弁２を対向配置した場合と同様な配列としておくことが必要である。
【００１３】
上記マニホールドベース３は、その上部から突出するように形成された搭載台部５と、該搭載台部５の上面５ａに形成された流路の開口３１ａ，３２ａ，３３ａを通して、上記電磁弁の弁部２１のポートＰ，Ａ，Ｒとそれぞれ連通する流体通路３１，３２，３３を有している。上記入力ポートＰに連通する流体通路３１及び上記排出ポートＲに連通する流体通路３３は、それぞれ上記マニホールドベース３内をその長手方向に伸びる共通流路３６，３７を通してマニホールベース３の端面にそれぞれ開口させ、上記電磁弁の各出力ポートＡに連通する多数の流体通路３２は、マニホールドベース３の長手方向に沿う一側面に開口する多数の出力口３４にそれぞれ連通させ、該多数の出力口３４には配管と接続する管継ぎ手３５がそれぞれシール状態で取付けられている。
【００１４】
上記電磁弁２は、その弁部２１が上記搭載台部５の上面５ａに対向した形で取付けられると共に、該対向配置された対をなす電磁弁２が上記搭載台部５の長手方向に沿って多数対配設され、それらの各弁部２１はポートＰ，Ａ，Ｒの周りにシール部材を介在させて搭載台部の上面５ａに取り付けられている。ダブルソレノイドの電磁弁を用いる場合に、上記１対の電磁弁２が取付けられるべき搭載台部５上の領域にその弁部が取付けられることになる。
なお、図２において上記搭載台部５上に設けたねじ孔３９は、電磁弁２の弁部２１を固定するねじを螺挿するためのものである。
【００１５】
また、上記基板４は、図１〜図３に示すように、該基板４の長手方向に沿ってその中央部がくりぬかれ、該くりぬかれた開口部４ａから上記搭載台部５の上面５ａが突出するように、該基板４が搭載台部５の周りに嵌められ、搭載台部５を囲んでその回りのマニホールドベース３の段部３ａ上に載置した状態で、電磁弁２のソレノイド部２２との間に隙間が生じるようにして、該マニホールドベース３に複数のボルト４０で固着されている。
【００１６】
また、上記基板４は、図１に示すように、上記マニホールドベース３の上面から左右に延出する延長部４ｂを有し、マニホールドベース３の一側面の多数の出力口３４を並設した側とは反対側の側面外に位置する基板の延長部４ｂの下面側に、一括配線用のコネクタ４１が取り付けられ、また、該延長部４ｂの上面には給電端子４２ａを有する多数の給電コネクタ４２が取付けられている。該給電端子４２ａを有する給電コネクタ４２は、搭載台部５に対する電磁弁２の取り付けと同時に該電磁弁２の受電端子４５とプラグインで接続されるものである。
また、給電コネクタ４２は、給電端子４２ａを上記基板４に印刷配線された電気回路に接続する端子ピン４２ｂを有し、該電気回路は、上記端子ピン４２ｂを介して各給電端子４２ａへ給電するために、上記一括配線用のコネクタ４１に電気的に接続されている。上記基板４の印刷配線された電気回路には、過電圧、過電流保護回路、表示回路等の、電磁弁２の作動に必要な所望の回路を付加することができ、必要に応じてそのための電子部品を搭載することができる。
【００１７】
上記マニホールドベース３の搭載台部５に対向配置された電磁弁２は、その弁部２１を駆動するソレノイド部２２が、上記搭載台部５から互いに反対側の基板４上に突出して、該基板４の電気回路に対して上記受電端子４５及び給電コネクタ４２を介して電気的に接続されているが、それに伴って、電磁弁２のソレノイド部２２が、マニホールドベース３の上面から上記延長部４ａを含む基板４上に延出することにより、該基板４及びその延長部４ａにおける電気回路を、該基板４との間に隙間が生じるようにして覆っている。その結果、多数の電磁弁と接続するために比較的大きくなる基板４を、外力の作用を受けて損傷する可能性が少なく、しかも、その表面の電気回路も損傷から保護される状態に保持することができる。
【００１８】
上記構成を有する基板搭載型マニホールドバルブ１は、上記搭載台部５の上面５ａにその長手方向に沿って対をなす電磁弁２を対向した形で多数対配設しているため、マニホールドベース３上の限られたスペースに多くの電磁弁２を配設することができ、また、上記搭載台部５が上記マニホールドベース３の段部３ａから突出するように形成され、そして、上記基板４の中央部が長手方向に沿ってくりぬかれ、該くりぬかれた開口部４ａから上記搭載台部５の上面５ａが突出するように上記搭載台部５に嵌めこまれているため、上記電磁弁２に給電する基板４をマニホールドベース３に簡単な構造でバランス良く、容易に安定した状態に取付けることができる。
【００１９】
更に、マニホールドベース３上に多数の電磁弁２を対向した形で取り付けながら、上記マニホールドベース３の長手方向に沿う一側面に、多数対の電磁弁３の各出力ポートに連通する出力口３４を並設し、反対側の側面外に位置する基板４の延長部４ａに一括配線用のコネクタ４１を設けているので、保守点検の工数を大幅に減らし、配線及び配管の簡素化を図ることができる。
【００２０】
【発明の効果】
以上に詳述したように、本発明によれば、マニホールドベース上の限られたスペースに多くの電磁弁を配設できると共に、これらの電磁弁に給電する基板をマニホールドベースに簡単な構造でバランス良く容易に取付けることができる基板搭載型マニホールドバルブを提供することができる。
【図面の簡単な説明】
【図１】本発明に係る基板搭載型マニホールドバルブの一実施例を示す縦断面図である。
【図２】一対の電磁弁のみを残し他の電磁弁を省略した、同装置の斜視図である。
【図３】同装置に用いられる基板の斜視図である。
【符号の説明】
１          基板搭載型マニホールドバルブ
２          電磁弁
３          マニホールドベース
４          基板
５          搭載台部
３１〜３３  流体通路
【図１】
2004156719.tif 000003
【図２】
2004156719.tif 000004
【図３】
2004156719.tif 000005